(57)【要約】【課題】回転操作ツマミを操作装置に設けて、トイレ室壁面へ操作装置を設置した場合の操作性は、立位や着座位にかかわらず操作性に課題があった。【解決手段】操作パネルを有する操作部本体と、前記操作パネルの操作面に貫通孔を設け、前記操作パネルの操作面で貫通孔位置に回転軸を保持された回転操作ツマミと、前記操作パネルの非操作面側において前記回転操作ツマミの回転に応じて物理量を変更する物理量変更手段と、前記回転ツマミの回転軸の物理量変更手段と勘合する側に設けた複数の抜け止め機構を備え、前記回転操作ツマミは前記操作パネルに設けた貫通孔を貫通しかつ前記操作パネルを介して前記回転操作ツマミの回転軸を前記物理量変更手段に勘合させて回転動作を伝達するように保持され、前記抜け止め機構は前記回転操作ツマミの回転角度全周囲において回転操作ツマミと操作パネルを保持したものである。【選択図】図３
2008075247.tif 000002
【特許請求の範囲】
【請求項１】
操作パネルを有する操作部本体と、前記操作パネルの操作面に貫通孔を設け、前記操作パネルの操作面で貫通孔位置に回転軸を保持された回転操作ツマミと、前記操作パネルの非操作面側において前記回転操作ツマミの回転に応じて物理量を変更する物理量変更手段と、前記回転ツマミの回転軸の物理量変更手段と勘合する側に設けた複数の抜け止め機構を備え、前記回転操作ツマミは前記操作パネルに設けた貫通孔を貫通しかつ前記操作パネルを介して前記回転操作ツマミの回転軸を前記物理量変更手段に勘合させて回転動作を伝達するように保持され、前記抜け止め機構は前記回転操作ツマミの回転角度全周囲において回転操作ツマミと操作パネルを保持することを特徴とする操作装置。
【請求項２】
抜け止め機構は、操作パネルとの勘合部より物理量変更手段側に弾性端部を設けた請求項１記載の操作装置。
【請求項３】
回転操作ツマミの一部の回転領域に、回転操作ツマミの回転駆動を一部減速して回転させる減速機構を設け、前期減速領域では回転操作ツマミによる操作が前記物理量変更手段による物理量と異なる物理量操作と対応するようにした請求項１または２記載の操作装置。
【請求項４】
請求項１から３のいずれかに記載の操作装置を設け、前記操作装置により洗浄機能または、乾燥機能または、便座機能または、脱臭機能または、部屋暖房機能または、冷房機能のうちの少なくとも一つを操作するようにした衛生洗浄装置。
【発明の詳細な説明】
【技術分野】
【０００１】
本発明はトイレ室に設置して使用する衛生洗浄装置の操作装置に関するものである。
【背景技術】
【０００２】
従来、この種の操作装置は、人体局部洗浄装置の本体の袖部に設けている。（例えば、特許文献１参照）。
【０００３】
図５は、特許文献１に記載された従来の操作装置を示すものである。図５に示すように、人体局部洗浄装置を使用する際の着座位で、人体局部洗浄装置の本体１の袖部２に設けた操作装置３であり、使用者が着座姿勢で、操作装置３の回転操作ツマミ４を回転させやすい形態にしたもので、回転操作ツマミ４上面から一指先を嵌めあわせて回転させる動作により、回転操作ツマミ４を回転しやすくしたものである。（例えば、特許文献１参照）。
【０００４】
また、従来より、回転つまみによる各種操作は一般的に量の調整などに用いられているものであるが、特に温水洗浄便座に関しては、洗浄水量、洗浄水温度などを、回転操作ツマミ４の回転に応じて変動させるように、回転軸の回転量と物理量を対応させて変更するスイッチが設けられていた。（例えば特許文献２参照）。
【特許文献１】特開２００２−２４２２６２号公報
【特許文献２】特開２００３−２３９３５５号公報
【発明の開示】
【発明が解決しようとする課題】
【０００５】
しかしながら、人体局部洗浄装置の操作部をより使いやすい形態とするため、例えば、設置の自由度をあげるため、また、トイレ室内の着座位や立位などの姿勢や体型、体格にかかわらずに操作しやすいものが求められるため、無線式リモコンを設けるようになっている。洗浄強さなど、洗浄や他の機能に対する物理量を変更することができる構成であるが、温水洗浄装置の操作部自体は、操作部のみ無線通信にて、リモコンとして別体に設けることでより利便性を向上させるものがある。このような構成にした場合、リモコンの操作部を本体部と別に設けて各種設置状況に合わせて様々な状態で付設する操作装置で、様々な設置条件に適用可能なものが要求される。
【０００６】
しかし前記従来の特許文献１では構成では、操作部の回転操作ツマミの操作は着座位で、また、本体袖の位置での操作性のみ考慮されたものでしかなく、操作部をリモコンに設けて、トイレ室壁面へリモコンを設置した場合の操作性は、立位や着座位にかかわらず操作性に課題があった。また、回転操作ツマミの操作パネルへの固定は、壁面へ取り付けるような、鉛直面に対してダイヤルの回動軸が略直角に保持され回転させる使い方をすると、回転角度によって回転操作ツマミの固定が不安定となる位置があり、従来の回転操作ツマミの固定構成では不十分となる場合がある。
【０００７】
本発明は、前記従来の課題を解決するもので、操作装置において、回転操作ツマミの操作パネルへの取り付け安定性と操作性を向上させ、操作装置の付設条件の自由度を向上させることができる操作装置を提供することを目的とする。
【課題を解決するための手段】
【０００８】
前記従来の課題を解決するために、本発明の操作装置は、操作パネルを有する操作部本体と、前記操作パネルの操作面に貫通孔を設け、前記操作パネルの操作面で貫通孔位置に
回転軸を保持された回転操作ツマミと、前記操作パネルの非操作面側において前記回転操作ツマミの回転に応じて物理量を変更する物理量変更手段と、前記回転ツマミの回転軸の物理量変更手段と勘合する側に設けた複数の抜け止め機構を備え、前記回転操作ツマミは前記操作パネルに設けた貫通孔を貫通しかつ前記操作パネルを介して前記回転操作ツマミの回転軸を前記物理量変更手段に勘合させて回転動作を伝達するように保持され、前記抜け止め機構は前記回転操作ツマミの回転角度全周囲において回転操作ツマミと操作パネルを保持したものである。
【０００９】
これによって、操作装置は、回転操作ツマミの抜け止め機構によって、操作パネルに掛かり止る構成であり、確実に操作装置本体に固定され、操作装置の付設姿勢がいかなる場合でも回転操作部の姿勢保持が確実となることによって、滑らかな回転操作が可能となり操作性が向上できる。
【発明の効果】
【００１０】
本願発明の操作装置は、操作装置本体に回転操作ツマミが確実に固定されるので、操作装置の付設の自由度が向上し、使い勝手、操作性が向上する。
【発明を実施するための最良の形態】
【００１１】
第１の発明は、操作パネルを有する操作部本体と、前記操作パネルの操作面に貫通孔を設け、前記操作パネルの操作面で貫通孔位置に回転軸を保持された回転操作ツマミと、前記操作パネルの非操作面側において前記回転操作ツマミの回転に応じて物理量を変更する物理量変更手段と、前記回転ツマミの回転軸の物理量変更手段と勘合する側に設けた複数の抜け止め機構を備え、前記回転操作ツマミは前記操作パネルに設けた貫通孔を貫通しかつ前記操作パネルを介して前記回転操作ツマミの回転軸を前記物理量変更手段に勘合させて回転動作を伝達するように保持され、前記抜け止め機構は前記回転操作ツマミの回転角度全周囲において回転操作ツマミと操作パネルを保持することを特徴とするものである。
【００１２】
これによって、抜け止め機構が回転操作ツマミと操作パネルを固定し、回転操作ツマミを回転しても回転操作ツマミの操作パネル面との位置関係が安定して保持されるので、操作装置の付設の自由度が向上し、使い勝手、操作性が向上する。これによって、よりユニバーサルデザイン性を高めることができる。
【００１３】
第２の発明は、抜け止め機構は、操作パネルとの勘合部より物理量変更手段側に弾性端部を設けたものである。
【００１４】
これによって、回転操作ツマミを操作パネルにはめ合わせたときに弾性端部が操作パネルに弾性架止するが、弾性端部がバネ性をもっており、貫通孔前面から回転つまみをはめやすく組み立て性よくして、また、一度はめ合わせると回転摺動に支障をきたすことなく、しかも操作パネルの姿勢にかかわらず抜けないという効果がある。
【００１５】
第３の発明は、回転操作ツマミの一部の回転領域に、回転操作ツマミの回転駆動を一部減速して回転させる減速機構を設け、前期減速領域では回転操作ツマミによる操作が前記物理量変更手段による物理量と異なる物理量操作と対応するようにしたものである。
【００１６】
これによって、減速領域に入ったとき回転操作時のクリック感をもたせ、異なる設定を操作することが使用者にわかりやすい。ひとつのダイヤル操作で複数の操作が可能で、スペース等の有効利用が可能、機能分類等がしやすいなどの効果がある。
【００１７】
第４の発明は、操作装置を備えた衛生洗浄装置であって、請求項１から３のいずれかに記載の操作装置を設け、前記操作装置により洗浄機能または、乾燥機能または、便座機能
または、脱臭機能または、部屋暖房機能または、冷房機能のうちの少なくとも一つを操作するようにしたものである。
【００１８】
これによって、特に衛生洗浄装置本体に設ける場合、側面に操作面を備えても、また、別体のリモコンに設けてリモコンが設置状況により操作面の状態がいかなる場合にあっても、確実に回転操作ツマミを固定してあるので、滑らかに回転摺同な操作が可能で、洗浄機能の調節が可能となる。洗浄機能に限らず、乾燥温風の風量や風速の調節や、便座温度の調整や、脱臭の強度や、部屋暖房や冷房などの風量や風速など、他の物理量変更手段としてこの操作装置を用いることも可能で、衛生洗浄装置の操作がよくなり、使い勝手が向上するという効果がある。
【００１９】
以下、本発明の実施の形態について、図面を参照しながら説明する。なお、この実施の形態によって本発明が限定されるものではない。
【００２０】
（実施の形態１）
図１は本発明の第１の実施の形態における操作装置を備えた衛生洗浄装置の斜視図を示すものであり、図２は操作装置全体の外観の斜視図を示すものであり、図３は操作装置の回転操作つまみの本体取り付け構造を説明する断面図を示すものである。なお、従来例と同一名のものについては、同一符号とする。
【００２１】
以降、図面にもとづいて、構成を説明する。図１に示すように、便器５上に本体１が載置固定してある。本体１には回動自在に便蓋６及び便座７が設けてあり、本体１の袖部２には赤外線透過部８が設けてあり、その内側にはワイヤレスの操作装置３からの赤外線信号を検知する赤外線センサ（図示せず）が内蔵されている。
【００２２】
次に図２に示すように、操作装置３は、おしり洗浄を開始するためのおしりスイッチ９とビデ洗浄を開始するためのビデスイッチ１０と乾燥を開始するための乾燥スイッチ１１とおしり洗浄・ビデ洗浄・乾燥を停止するための停止スイッチ１２と便蓋を開閉するための便蓋開閉スイッチ１３と便座を開閉するための便座開閉スイッチ１４と洗浄の強さを調節する回転操作ツマミ４を有している。また、操作装置３下部の内部には、便座温度調節スイッチ（図示せず）、温水温度調節スイッチ（図示せず）、乾燥温度調節スイッチ（図示せず）等を有している。
【００２３】
次に図３に示すように、操作パネル１５を有する操作部本体１６と、操作パネル１５の操作面１７に貫通孔１８を設け、操作パネル１５の操作面１７で貫通孔１８位置に回転軸１９を保持された回転操作ツマミ４と、操作パネル１５の非操作面２０側において回転操作ツマミ４の回転に応じて物理量を変更する物理量変更手段２１と、回転操作ツマミ４の回転軸１９の物理量変更手段２１と勘合する側に設けた複数の抜け止め機構２２を備え、回転操作ツマミ４は操作パネル１５に設けた貫通孔１８を貫通しかつ操作パネル１６を介して回転操作ツマミ４の回転軸１９を物理量変更手段２１に勘合させて回転動作を伝達するように保持され、抜け止め機構２２は回転操作ツマミ４の回動角度全周囲において回転操作ツマミ４と操作パネル１５を保持するようになっている。
【００２４】
以上のように構成された衛生洗浄装置について、以下その動作、作用を説明する。操作装置３の各スイッチを押すことにより発光される赤外信号は、本体１の袖部２の赤外線透過部８内の赤外線センサ（図示せず）で受信され、衛生洗浄装置の各機能が作動する。また、回転操作ツマミ４は、回転することにより洗浄の強さが変更され、その回転角度のどの位置でも抜け止め機構２２が操作パネル１５の非操作面２０に引っ掛かる。
【００２５】
以上のように構成された操作装置において、使用者が着座位で壁面に設置された操作装
置の操作面の略中央に設けた回転操作ツマミを操作する。すると、一度はめ込まれた回転操作ツマミは抜け止め部材が回転操作ツマミと操作パネルを固定し、回転操作ツマミを回転しても回転操作ツマミの操作パネル面との位置関係が安定して保持されるので、回転操作ツマミの回転位置によらず、また、操作装置自体がどのような位置に設置されて（例えば便座の左右どちらでも）、操作面の角度がいかなる角度であっても（操作面が鉛直方向であったり、傾斜角度にあっても）操作装置の付設の自由度が向上し、使い勝手、操作性が向上する。これによって、操作装置自体が設置状況を限ることなく、また、どのような設置状態でも安定した回転操作が可能となる。この操作は、着座位でなされるもので、リモコン自体は、壁面に設けられるが左右どちらに付設されるかは、設置場所で適宜きまるもので、また、使用者の利き手側かどうか、という条件もばらつきがある。しかし、本実施の形態の操作装置は、操作性がよいのでユニバーサルデザイン性を高めることができる。
【００２６】
なお、抜け止め機構２２は、操作パネル１５との勘合部２３より物理量変更手段２１側に弾性端部２４を設けてもよい。
【００２７】
以上のように構成された操作装置において、回転操作つまみを操作パネルにはめ合わせたときに弾性端部が操作パネルに弾性架止するが、弾性端部がバネ性をもっており、貫通孔前面から回転つまみをはめやすく組み立て性よくして、また、一度はめ合わせると回転摺動に支障をきたすことなく、しかも操作パネルの姿勢にかかわらず抜けないという効果がある。
【００２８】
なお、以上の実施の形態では、抜け止め機構２２を回転操作ツマミ４で構成しているが、別部品を用いてもよい。
【００２９】
また、以上の実施の形態では、回転操作ツマミ４を洗浄の強さの調節としたが、洗浄機能に限らず、乾燥温風の風量や風速の調節や、便座温度の調整や、脱臭の強度や、部屋暖房や冷房などの風量や風速など、他の物理量変更手段としてこの操作装置を用いることも可能である。
【００３０】
（実施の形態２）
図４は操作装置の回転操作ツマミの回転操作時の概観図を示すものである。なお、従来例及び実施の形態１と同一名のものについては、同一符号とする。
【００３１】
実施の形態１との違いは、回転操作ツマミ４の一部の回転領域に、回転操作ツマミ４の回転駆動を一部減速して回転させる減速機構２５を設け、異なる物理量操作と対応するようにしたところである。
【００３２】
以降、図面にもとづいて、構成を説明する。図４に示すように、減速機構２５は、回転操作ツマミ４の凸部２６と操作パネル１５のフック２７で構成されている。
【００３３】
以上のように構成された衛生洗浄装置について、以下その動作、作用を説明する。回転操作ツマミ４を回転操作し、図４（ｂ）に示す回転が減速領域に入ると、凸部２６とフック２７が接触して操作時のクリック感が発生する。
【００３４】
以上のように構成された操作装置において、回転操作ツマミを回転操作し、回転が減速領域に入ると、操作時のクリック感をもたせることができ、異なる洗浄状態の設定への操作をすることになることが使用者にわかりやすい。また、ひとつのダイヤル操作で複数の操作が可能で、スペース等の有効利用が可能、機能分類等がしやすいなどの効果がある。
【００３５】
これによって、特に衛生洗浄装置本体に設ける場合、側面に操作面を備えても、また、別体の操作装置に設けて操作装置が設置状況により操作面の状態がいかなる場合にあっても、確実に回転操作つまみを固定してあるので、滑らかに回転摺同な操作が可能で、洗浄水の調節が可能となる。洗浄水の調節にかぎらず、部屋暖房や冷房などの風量や風速、乾燥温風の風量や風速の調節や、脱臭の強度など、他の物理量変更手段としてこの操作装置を用いることも可能で、衛生洗浄装置の操作がよくなり、使い勝手が向上するという効果がある。
【産業上の利用可能性】
【００３６】
以上のように、本発明にかかる操作装置は、操作装置としての例えば衛生洗浄装置のリモコンの構成を使い勝手のよい、操作性のよいものとすることができるので、使用者が着座姿勢などで、壁に付設したり操作面が延直方向である操作部の構成、操作面と人体位置の関係が、本実施の形態に説明したような状況のものに適用できる。
【図面の簡単な説明】
【００３７】
【図１】本発明の実施の形態１における操作装置を備えた衛生洗浄装置の斜視図
【図２】本発明の実施の形態１における操作装置全体の外観の斜視図
【図３】本発明の実施の形態１における操作装置の回転操作つまみの本体取り付け構造を説明する断面図
【図４】（ａ）本発明の実施の形態２における操作装置の回転操作ツマミの回転操作開始時の説明図（ｂ）同操作装置の回転操作ツマミの回転操作時の説明図
【図５】従来の操作装置の平面図
【符号の説明】
【００３８】
３  操作装置
４  回転操作ツマミ
１５  操作パネル
１６  操作部本体
１７  操作面
１８  貫通孔
１９  回転軸
２０  非操作面
２１  物理量変更手段
２２  抜け止め機構
２４  弾性端部
２５  減速機構
【図１】
2008075247.tif 000003
【図２】
2008075247.tif 000004
【図３】
2008075247.tif 000005
【図４】
2008075247.tif 000006
【図５】
2008075247.tif 000007